(57)【要約】【課題】  円滑なファクシミリ送信を行うため、任意の交換機におけるオペレータ識別のための情報（以下、ＰＩＮコードという）の識別方法に対応しうる種々の識別仕様を想定し、これらの識別条件を満たす識別情報の送出制御を行う。【解決手段】  まずＰＩＮコード送出を行い（ステップＳ２０２）、その後、各交換機の識別仕様に対応して、桁数補完処理（ステップＳ２０３）、セパレータ付加処理（ステップＳ２０４）、ＰＩＮコード識別応答待ち処理（ステップＳ２０５）をする。それらの処理がなされた後に、宛先番号情報送出を行う。【選択図】  図２
2006325106.tif 000002
【特許請求の範囲】
【請求項１】
ファクシミリ通信手段と、
オペレータを識別するＩＤであるＰＩＮコード及び宛先番号情報を設定するオペレータ情報設定手段と、
前記ＰＩＮコードの識別に必要な情報を設定するＰＩＮコード識別情報設定手段と、
ファクシミリ送信時に、前記ＰＩＮコード識別情報設定手段により設定された情報に基づいて前記ＰＩＮコード及び前記宛先番号情報を送出制御するオペレータ情報送出制御手段とを有することを特徴とする画像形成装置。
【請求項２】
前記ＰＩＮコード識別情報設定手段は、自機端末と接続されている交換機が定めるＰＩＮコード規定桁数及びＰＩＮコード補完コードを設定し、
前記オペレータ情報送出制御手段は、前記ＰＩＮコードが前記ＰＩＮコード規定桁数を越えている場合はファクシミリ送信動作を中断し、前記ＰＩＮコードが前記ＰＩＮコード規定桁数に不足している場合は前記ＰＩＮコード補完コードを自動補完し補完後のＰＩＮコード及び前記宛先番号情報を送出することを特徴とする請求項１に記載の画像形成装置。
【請求項３】
前記ＰＩＮコード識別情報設定手段は、前記交換機がＰＩＮコード及び宛先番号情報を区別するために必要なセパレータコードを設定し、
前記オペレータ情報送出制御手段は、前記セパレータコードが設定されていた場合に、前記ＰＩＮコード及び前記宛先番号情報の間に前記セパレータコードを自動挿入し自動挿入後の前記ＰＩＮコード及び前記宛先番号情報を送出することを特徴とする請求項１又は２に記載の画像形成装置。
【請求項４】
前記ＰＩＮコード識別情報設定手段は、前記交換機がＰＩＮコードを識別するために必要な処理時間を設定し、
前記オペレータ情報送出制御手段は、前記処理時間が設定されていた場合に、前記ＰＩＮコードの送出後から前記処理時間の経過まで待って前記宛先番号情報を送出することを特徴とする請求項１から３のいずれか１項に記載の画像形成装置。
【請求項５】
前記ＰＩＮコード識別情報設定手段は、前記交換機がＰＩＮコードの受付後に接続端末に対して送出する応答信号の識別情報を設定し、
前記オペレータ情報送出制御手段は、前記応答信号識別情報が設定されていた場合に、前記ＰＩＮコードの送出後に前記応答信号を検出してから前記宛先番号情報を送出することを特徴とする請求項１から４のいずれか１項に記載の画像形成装置。
【発明の詳細な説明】
【技術分野】
【０００１】
本発明は、画像形成装置に関し、特にファクシミリ装置、デジタル複合機等のファクシミリ通信機能を有する画像形成装置に関するものである。
【背景技術】
【０００２】
従来から、相手先との商取引や、それ以外の個人的な情報のやりとりにおいて、一般公衆網やＬＡＮ等のネットワークを介したファクシミリ通信を利用することは一般化している。特に、ファクシミリを利用した商取引は盛んに行われており、相手先顧客からのファクシミリ受信記録を管理しておくことは取引を行ううえで極めて有意義である。例えば、顧客毎のファクシミリによる注文日時を記録し、その記録を使用して商品の出荷管理を行えば、未発送案件について容易に確認することができる。
【０００３】
この顧客情報管理の要請の観点から、特許文献１では、ファクシミリ受信があった場合にその記録を行い、顧客情報として管理する機能を備えたファクシミリ装置が提案されている。当該装置は、相手先の電話番号、相手先名、ファクシミリ着信時間及び通話時間を顧客情報として管理ファイルに一旦格納し、検索指示に従って管理ファイルの検索を行い、その検索結果を表示あるいは印刷することができ、取引上の管理に有効である。
【特許文献１】特開平１０−９３７９７号公報
【発明の開示】
【発明が解決しようとする課題】
【０００４】
しかし、上記の発明は問題を有している。
【０００５】
通常、ファクシミリを送信する場合、オペレータ識別のための情報（以下、ＰＩＮコードという）及び送信する相手先の情報を自機端末と接続されている交換機へ送出する。すなわち、前者は交換機が自機端末を識別するために使用する情報であり、後者は自機端末が送信する相手機端末を交換機が識別するための情報である。交換機によってＰＩＮコードの識別方法が異なることがあり、１つの識別方法にのみ対応する送出手段しか有さない場合、ある交換機が別の識別方法であったときに自機端末の識別がなされずファクシミリ送信ができないこととなる。
【０００６】
特許文献１の発明は、ファクシミリ受信後の処理を想定しているため、ファクシミリ送信時における上記の状況に適切に対応できるものとは限らない。
【０００７】
このため、円滑なファクシミリ送信を行うためには、各交換機において前記のＰＩＮコード識別方法が異なることを前提に、任意の交換機でのＰＩＮコード識別方法に対応しうる種々の識別仕様を想定し、これらの識別条件を充足する識別情報の送出制御を行う必要がある。
【０００８】
そこで、本発明は、ＰＩＮコードと相手先の情報を各々独自の方法で区別する任意の交換機に接続された場合においても、柔軟に前記情報群を送出することができる画像形成装置を提供することを目的とする。
【課題を解決するための手段】
【０００９】
請求項１に記載の発明は、画像形成装置において、ファクシミリ通信手段と、オペレータを識別するＩＤであるＰＩＮコード及び宛先番号情報を設定するオペレータ情報設定手段と、前記ＰＩＮコードの識別に必要な情報を設定するＰＩＮコード識別情報設定手段と、ファクシミリ送信時に、前記ＰＩＮコード識別情報設定手段により設定された情報に基づいて前記ＰＩＮコード及び前記宛先番号情報を送出制御するオペレータ情報送出制御手段とを有することを特徴とする。
【００１０】
請求項２に記載の発明は、請求項１に記載の画像形成装置において、前記ＰＩＮコード識別情報設定手段は、自機端末と接続されている交換機が定めるＰＩＮコード規定桁数及びＰＩＮコード補完コードを設定し、前記オペレータ情報送出制御手段は、前記ＰＩＮコードが前記ＰＩＮコード規定桁数を越えている場合はファクシミリ送信動作を中断し、前記ＰＩＮコードが前記ＰＩＮコード規定桁数に不足している場合は前記ＰＩＮコード補完コードを自動補完し補完後のＰＩＮコード及び前記宛先番号情報を送出することを特徴とする。
【００１１】
請求項３に記載の発明は、請求項１又は２に記載の画像形成装置において、前記ＰＩＮコード識別情報設定手段は、前記交換機がＰＩＮコード及び宛先番号情報を区別するために必要なセパレータコードを設定し、前記オペレータ情報送出制御手段は、前記セパレータコードが設定されていた場合に、前記ＰＩＮコード及び前記宛先番号情報の間に前記セパレータコードを自動挿入し自動挿入後の前記ＰＩＮコード及び前記宛先番号情報を送出することを特徴とする。
【００１２】
請求項４に記載の発明は、請求項１から３のいずれか１項に記載の画像形成装置において、前記ＰＩＮコード識別情報設定手段は、前記交換機がＰＩＮコードを識別するために必要な処理時間を設定し、前記オペレータ情報送出制御手段は、前記処理時間が設定されていた場合に、前記ＰＩＮコードの送出後から前記処理時間の経過まで待って前記宛先番号情報を送出することを特徴とする。
【００１３】
請求項５に記載の発明は、請求項１から４のいずれか１項に記載の画像形成装置において、前記ＰＩＮコード識別情報設定手段は、前記交換機がＰＩＮコードの受付後に接続端末に対して送出する応答信号の識別情報を設定し、前記オペレータ情報送出制御手段は、前記応答信号識別情報が設定されていた場合に、前記ＰＩＮコードの送出後に前記応答信号を検出してから前記宛先番号情報を送出することを特徴とする。
【発明の効果】
【００１４】
ＰＩＮコードと相手先の情報を各々独自の方法で区別する任意の交換機に接続された場合においても、柔軟に前記情報群を送出することができ、円滑なファクシミリ送信が可能となる。
【発明を実施するための最良の形態】
【００１５】
本発明の実施形態に係る画像形成装置について、図を参照しながら詳細に説明する。
【００１６】
まず、図１について説明する。図１は、本実施形態に係る画像形成装置の構成を示すブロック図である。操作部１、表示部２、ＦＡＸ制御部３、読取部４、記録部５、信号発生部６、メモリ７、回線制御部８から構成される。
【００１７】
操作部１は、ダイヤルキー等の操作ボタンを備えており、一般的なファクシミリ操作を行うことができ、この操作データはＦＡＸ制御部３内のＲＡＭに記憶される。表示部２は、操作部１による操作を介して設定された送信条件等を表示する。ＦＡＸ制御部３は、ファクシミリ通信における送受信動作の制御を行う。読取部４は、ＦＡＸ制御部３の制御により送信原稿を読み取る。記録部５は、メモリ７に記憶された受信画像データを記録紙に出力する。信号発信部６は、メモリ７で記憶した送信画像データを専用伝送フォーマットに組み立てる。メモリ７は、送受信原稿の画像データのほか、ＰＩＮコードや宛先番号情報といったオペレータ情報やＰＩＮコード識別情報を記憶する。回線制御部８は、ＰＩＮコードと宛先番号情報の送出制御を行う。
【００１８】
次に、メモリ７で記憶されるＰＩＮコード識別情報について説明する。表１は、ＰＩＮコード識別情報の種類と情報例を表したものである。
【表１】
2006325106.tif 000003
【００１９】
まず、自機端末が接続された交換機のＰＩＮコード識別パターンがＰＩＮコード桁数規定の場合である。ｘ桁はＰＩＮコード規定桁数である。Ａは補完コードである。これは、自機端末で送出されるＰＩＮコードがｘ桁を常に満たすように補完するための情報で、ダミーコードでもよい。
【００２０】
続いて、ＰＩＮコード識別パターンがセパレートコード付加の場合である。Ｂはセパレータコードである。これは、ＰＩＮコードと宛先番号情報を区別するためのコードであり、ＰＩＮコードに続けて送出する。上記補完コードと同様にダミーコードでも可能である。
【００２１】
そして、ＰＩＮコード識別パターンがＰＩＮコード識別応答待ちの場合である。このＰＩＮコード識別応答待ちは、交換機が一定時間待つ場合と交換機が任意の応答信号を発しその信号を検出するまで待つ場合がある。ｔ秒はＰＩＮコード識別処理待ち時間で、前者の場合である。交換機がＰＩＮコード受付後にオペレータ識別を完了し、続く宛先番号情報を受け付けできる待ち時間を示す情報である。ＺはＰＩＮコード識別応答信号で、後者の場合である。交換機がＰＩＮコードを受け付けた後に自機端末に返す任意の応答信号を示す情報である。自機端末は、ＰＩＮコード送出後、応答信号を待って宛先番号情報を送出する。
【００２２】
次に、本実施形態のオペレータ情報送出制御について説明する。発信時に送出されるオペレータ情報は、ＰＩＮコードと宛先番号情報である。前者は、交換機が機器オペレータの識別に使用する情報であり、後者は機器が送信する相手先を識別する情報である。
【００２３】
まず、オペレータ情報送出制御全体について説明する。図２は、オペレータ情報送出動作を示すフローチャートである。スタート（ステップＳ２０１）後、ＰＩＮコード送出がなされる（ステップＳ２０２）。次に、交換機が桁数規定の仕様の場合に桁数補完処理が行われ（ステップＳ２０３）、続いて、交換機がセパレータコードを必要とする場合にセパレータ付加処理がなされる（ステップＳ２０４）。そして、交換機がＰＩＮコード識別待ちの仕様の場合にＰＩＮコード識別応答待ち処理を行う（ステップＳ２０５）。最後に宛先番号情報を送出し（ステップＳ２０６）、エンドとなる（ステップＳ２０７）。
【００２４】
次に、交換機の各仕様に対応したＰＩＮコード識別情報設定の処理について説明する。
【００２５】
図３は、桁数補完処理（Ｓ２０３）の動作を示すフローチャートである。交換機が規定桁数の使用の場合に適用される。スタート（ステップＳ３０１）の後、ＰＩＮコード桁数が規定桁数以下か否かが判断される。規定桁数より不足している場合は（ステップＳ３０２／ＹＥＳ）、不足桁を補完し規定桁数のコードで送出され（ステップＳ３０３）、エンドとなる（ステップＳ３０５）。また、規定桁数と同じ桁数の場合は（ステップＳ３０２／ＹＥＳ）、その規定桁数のコードで送出される（ステップＳ３０３）。一方、規定桁数以下でなくこれより多い場合は（ステップＳ３０２／ＮＯ）、ファクシミリ送信処理終了となり（ステップＳ３０４）、エンドとなる（ステップＳ３０５）。
【００２６】
図４は、セパレータ付加処理（Ｓ２０４）の動作を示すフローチャートである。交換機がセパレータを必要とする仕様の場合に適用される。スタート（ステップＳ４０１）の後、セパレータコードが必要か否かが判断される。セパレータコードが必要の場合（ステップＳ４０２／ＹＥＳ）、セパレータコードの送出が行われ（ステップＳ４０３）、エンドとなる（ステップＳ４０４）。セパレータコードが必要でない場合（ステップＳ４０２／ＮＯ）、エンドとなる（ステップＳ４０４）。
【００２７】
図５は、ＰＩＮコード識別応答待ち処理（Ｓ２０５）の動作を示すフローチャートである。交換機がＰＩＮコード識別応答待ちの仕様の場合に適用される。スタート（ステップＳ５０１）の後、タイムアウト待ち処理か否かが判断されタイムアウト待ち処理である場合（ステップＳ５０２／ＹＥＳ）、識別処理時間の経過を待つ。識別処理時間がタイムアウトすると（ステップＳ５０３／ＹＥＳ）エンドとなり（ステップＳ５０６）、タイムアウトしないときは（ステップＳ５０３／ＮＯ）待ち処理を継続する。タイムアウト待ち処理でない場合は（ステップＳ５０２／ＮＯ）、応答信号の検出待ち処理か否かが判断される。応答信号の検出待ち処理である場合（ステップＳ５０４／ＹＥＳ）、応答信号が検出されるまで待つ。応答信号を検出したときは（ステップＳ５０５／ＹＥＳ）エンドとなり（ステップＳ５０６）、応答信号を検出しないときは（ステップＳ５０５／ＹＥＳ）検出されるまで待つ。応答信号の検出待ち処理でない場合は（ステップＳ５０５／ＮＯ）、再度タイムアウト待ち処理か否かの判断になる。
【００２８】
上記のように、自機端末が接続された交換機によるＰＩＮコード識別方法が異なることを前提に、任意の交換機でのＰＩＮコード識別仕様に対応しうる各々の識別仕様を想定してオペレータ情報送出制御を行う。表２は、交換機のＰＩＮコード識別パターンとそれに対応する送出制御後のオペレータ情報を示したものである。
【表２】
2006325106.tif 000004
【００２９】
上記の実施形態によれば、ＰＩＮコードを桁数規定する交換機に対してＰＩＮコード送出する場合に、オペレータが規定桁数を意識せずに送信操作することができる。また、ＰＩＮコードと宛先番号情報を区別するためにセパレータコードを必要とする交換機に対してＰＩＮコード送出する場合に、オペレータがセパレータコードの入力なしで送信操作することができる。そして、ＰＩＮコードと宛先番号情報の間にＰＩＮコード識別のための処理時間を必要とする交換機に対してＰＩＮコード送出する場合に、オペレータが処理時間を意識せずに送信操作することができる。さらに、ＰＩＮコード送出後、交換機からの応答信号を待って宛先番号情報を送出する必要のある交換機に対してＰＩＮコード送出する場合に、オペレータが応答信号を意識せず送信操作をすることができる。
【００３０】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【図面の簡単な説明】
【００３１】
【図１】本発明の実施形態に係る画像形成装置の構成を示すブロック図である。
【図２】本実施形態のオペレータ情報送出動作を示すフローチャートである。
【図３】本実施形態の桁数補完処理の動作を示すフローチャートである。
【図４】本実施形態のセパレータ付加処理の動作を示すフローチャートである。
【図５】本実施形態のＰＩＮコード識別応答待ち処理の動作を示すフローチャートである。
【符号の説明】
【００３２】
１    操作部
２    表示部
３    ＦＡＸ制御部
４    読取部
５    記録部
６    信号発信部
７    メモリ
８    回線制御部
【図１】
2006325106.tif 000005
【図２】
2006325106.tif 000006
【図３】
2006325106.tif 000007
【図４】
2006325106.tif 000008
【図５】
2006325106.tif 000009